(57)【要約】      （修正有）【課題】他のスティックライトと同調させて使用することが極めて容易で、スティック状の先端部分まで効率良く発光させることができるスティックライトを提供する。【解決手段】ＲＧＢフルカラーＬＥＤを使用した光源部１０を設ける。光源部１０の光が照射する方向に延長された筒状を成す発光筒体２０を設ける。発光筒体２０の内側で光源部１０を囲む反射鏡３０を設ける。電池を収納する収納筒体４０を設ける。各ＬＥＤを制御して発光色及び発光手段を制御する制御部を設ける。制御部をコントロールするロータリースイッチを収納筒体４０の表面に設ける。各種発光色及び発光手段をロータリースイッチの表示部で選択するように構成する。【選択図】図３
0003175039.tif 000002
【実用新案登録請求の範囲】
【請求項１】
ＲＧＢフルカラーＬＥＤを使用した光源部と、該光源部の光が照射する方向に延長された筒状を成し光源部の光で発光する発光筒体と、発光筒体の内側で光源部を囲む反射鏡と、発光筒体の反対方向に延長され、電池を収納する収納筒体と、該収納筒体に収納されＲＧＢフルカラーＬＥＤを制御して発光色を設定する制御部とを備えたスティックライトにおいて、制御部を操作せしめるロータリースイッチを収納筒体に設け、設定された各種の発光色を該ロータリースイッチで選択するように構成したことを特徴とするスティックライト。
【請求項２】
前記ロータリースイッチは、前記制御部で設定された各色を指定する番号が円周方向に表示されたダイヤル盤と、該ダイヤル盤に表示された番号が一つだけ選択表示される表示部とで構成され、該表示部に表示された番号の色が前記発光筒体で発光するように構成した請求項１記載のスティックライト。
【請求項３】
前記発光筒体は、内部側面に凹凸形状の乱反射面が形成されると共に、前記発光筒体を構成する材質の内部に光を拡散せしめる拡散粒子が混合され、乱反射面と拡散粒子とで前記光源部の光が前記発光筒体の先端方向まで拡散するように構成した請求項１記載のスティックライト。
【請求項４】
前記反射鏡の内側面全体に断面Ｖ字形状の溝部が形成され、前記光源部の側面から発光する光を該溝部で乱反射させて前記反射鏡内部で三原色を混合するように構成した請求項１記載のスティックライト。
【請求項５】
前記反射鏡は、前記光源部を囲む凹面状の反射基部と、該反射基部の先端から前記発光筒体の延長方向に沿って筒状に延長された導光部とを備え、該導光部にて反射させた光を前記発光筒体の先端方向に集光するように構成した請求項１記載のスティックライト。
【考案の詳細な説明】
【技術分野】
【０００１】
本考案は、ＲＧＢフルカラーＬＥＤを使用したスティックライトに係り、他のスティックライトと同調させて使用することが極めて容易で、しかも、先端部分まで効率良く発光させることができるスティックライトに関する。
【背景技術】
【０００２】
赤色ＬＥＤ、緑色ＬＥＤ及び青色ＬＥＤを利用したスティックライトは特許文献１に記載されている。このスティックライトによると、所望の色が発光されるように各ＬＥＤを個別に制御することで、スティックライトを任意の色に発光させるものである。そして、７色（赤、黄、緑、青緑、青、紫、白）を予め定められた順序で関係付けておき、スイッチを操作したときこの順序で７色の色の内の１色が選択されるように構成している。具体的には、第１のスイッチを１度押すたびに、赤→黄→緑→青緑→青→紫→白（以下この繰り返し）の順で色が変化するものである。
【０００３】
また、このスティックライトには、第２のスイッチが設けられており、スイッチを押すたびに、連続点灯モード→点滅モード→変色モード（以下この繰り返し）の順でモードが変化するものである。
【先行技術文献】
【特許文献】
【０００４】
【特許文献１】特開２０００−９０７０２号公報
【考案の概要】
【考案が解決しようとする課題】
【０００５】
特許文献１のスティックライトは、第１のスイッチを１度押すたびに、赤→黄→緑→青緑→青→紫→白（以下この繰り返し）の順で色が変化するものである。また、第２のスイッチを押すごとに、連続点灯モード→点滅モード→変色モードに変化する。そのため、任意の色を選択するには、選択した色が出るまで、第１のスイッチを何度も押す必要があり、選択した色を瞬時に発光させることは極めて困難であった。そのため、複数の使用者がスティックライトの色を統一して使用するには、全員の色が統一されるまで各種の色が点灯されることになり、スティックライトを共同の色で使用するまでに手間がかかるものであった。
【０００６】
また、発光モードも第２のスイッチを順次押して、好みのモードを選択する構成であるから、複数のスティックライトを使用して同じ色を同じ発光モードで使用する場合は、各スティックライトの色彩や発光モードを統一するまでに更に多くの手間と時間を要するものであった。
【０００７】
スティックライトをコンサートなどで使用する場合、個々のスティックライトが異なった発光をするよりも、できるだけ統一された色や発光モードで使用するほうが効果的な場合がある。このような場合、特許文献１のスティックライトでは、他のスティックライトと同調させることが極めて困難になるものであった。
【０００８】
更に、ＬＥＤを利用してスティックライトを構成した場合、ＬＥＤから離れるほど光量が減少するので、スティック状の先端部分が暗くなり易くなるといった不都合もあった。この場合、レンズ等の集光部品を利用して遠くまで照射することは可能であるが、部品点数が増加して構造が複雑になり、重量等も増加するので、振り回して使用することが多いスティックライトに集光部品を利用することは困難であった。そこで、従来では、ＬＥＤの周囲に反射鏡を設け、周囲の光を集光することで、できるだけ効率良く照射しようとしている。
【０００９】
一方、赤・青・緑のＬＥＤが一つのパッケージに封印されたＲＧＢフルカラーＬＥＤが提供されている。このようなＲＧＢフルカラーＬＥＤは、多彩な色彩に変化させるのに好適なＬＥＤになっている。ところが、砲弾形のＲＧＢフルカラーＬＥＤのごとく、安価なフルカラーＬＥＤを使用して各種の色を調整する場合、ＬＥＤの先端方向で色が交じり合って色彩が調整されるが、ＬＥＤ素子内での混合や拡散ができないので、ＬＥＤの周囲には、各ＬＥＤの色が原色のまま照射されることになる。このため、ＬＥＤの周囲に反射鏡を設けていると、この原色の光が反射して調整した色彩を妨げる不都合が生じる。この結果、混合と拡散機能を持った高価なフルカラーＬＥＤを使用せざるを得なかった。
【００１０】
そこで本考案は、上述の課題を解消するために案出されたもので、他のスティックライトと同調させて使用することが極めて容易になり、しかも、スティック状の先端部分まで効率良く発光させることができ、安価な砲弾形のＲＧＢフルカラーＬＥＤを使用しても各種の色彩を反射鏡内で調整することが可能なスティックライトの提供を目的とするものである。
【課題を解決するための手段】
【００１１】
上述の目的を達成すべく本考案における第１の手段は、ＲＧＢフルカラーＬＥＤを使用した光源部１０と、該光源部１０の光が照射する方向に延長された筒状を成し光源部１０の光で発光する発光筒体２０と、発光筒体２０の内側で光源部１０を囲む反射鏡３０と、発光筒体２０の反対方向に延長され、電池４１を収納する収納筒体４０と、該収納筒体４０に収納されＲＧＢフルカラーＬＥＤを制御して発光色及び発光手段を制御する制御部４２とを備えたスティックライトにおいて、制御部４２を操作せしめるロータリースイッチ５０を収納筒体４０に設け、制御された各種発光色を該ロータリースイッチ５０の表示部で選択するように構成したことにある。
【００１２】
第２の手段において、前記ロータリースイッチ５０は、前記制御部４２で設定された各色を指定する番号が円周方向に表示されたダイヤル盤５１と、該ダイヤル盤５１に表示された番号が一つだけ選択表示される表示部５２とで構成され、該表示部５２に表示された番号の色が前記発光筒体２０で発光するように構成したものである。
【００１３】
第３の手段において、前記発光筒体２０は、内部側面に凹凸形状の乱反射面２１が形成されると共に、前記発光筒体２０を構成する材質の内部に光を拡散せしめる拡散粒子２２が混合され、乱反射面２１と拡散粒子２２とで前記光源部１０の光が前記発光筒体２０の先端方向まで拡散するように構成している。
【００１４】
第４の手段は、前記反射鏡３０の内側面全体に断面Ｖ字形状の溝部３３が形成され、前記光源部１０の側面から発光する光を該溝部３３で乱反射させて反射鏡３０内部で三原色を混合するように構成したものである。
【００１５】
第５の手段において、反射鏡３０は、前記光源部１０を囲む凹面状の反射基部３１と、該反射基部３１の先端から前記発光筒体２０の延長方向に沿って筒状に延長された導光部３２とを備え、該導光部３２にて反射させた光を前記発光筒体２０の先端方向に集光するように構成している。
【考案の効果】
【００１６】
本考案の請求項１によると、制御部４２をコントロールするロータリースイッチ５０を収納筒体４０に設け、制御された各種発光色及び発光手段を該ロータリースイッチ５０の表示部で選択するように構成したことにより、従来のスティックライトのように選択した色が出るまでスイッチを何度も押す必要がなくなり、選択した色を瞬時に発光させることができる。この結果、他のスティックライトと同調させて使用することが極めて容易になり、コンサート会場等での使用効果が高まる。
【００１７】
請求項２のごとく、ロータリースイッチ５０は、制御部４２で設定された各色を指定する番号が円周方向に表示されたダイヤル盤５１と、該ダイヤル盤５１に表示された番号が一つだけ選択表示される表示部５２とで構成され、該表示部５２に表示された番号の色が前記発光筒体２０で発光するように構成したことで、色の選択が極めて容易になり、大勢の集団が持っているスティックライトでも瞬時に同調させることが可能になる。
【００１８】
請求項３のように、発光筒体２０は、内部側面に凹凸形状の乱反射面２１が形成されると共に、前記発光筒体２０を構成する材質の内部に光を拡散せしめる拡散粒子２２が混合され、乱反射面２１と拡散粒子２２とで前記光源部１０の光が前記発光筒体２０の先端方向まで拡散するように構成したことで、発光筒体２０の構造を利用して発光筒体２０の先端方向まで光らせることができる。
【００１９】
請求項４のごとく、反射鏡３０の内側面全体に断面Ｖ字形状の溝部３３が形成され、前記光源部１０の側面から発光する光を該溝部３３で乱反射させて反射鏡３０内部で三原色を混合するように構成することで、ＬＥＤ素子内で光の混合や拡散ができない安価な砲弾形のＲＧＢフルカラーＬＥＤを使用した光源部１０でも、反射鏡３０内で各種の色彩を調整することに成功した。
【００２０】
請求項５のように、反射鏡３０は、前記光源部１０を囲む凹面状の反射基部３１と、該反射基部３１の先端から前記発光筒体２０の延長方向に沿って筒状に延長された導光部３２とを備え、該導光部３２にて反射させた光を前記発光筒体２０の先端方向に集光するように構成することで、光源部１０周囲の光を発光筒体２０の発光に利用することができる。したがって、光源部１０からより遠くの発光筒体２０まで発光させることが可能になりスティックライトとしてより効果的に発光させることができる。
【図面の簡単な説明】
【００２１】
【図１】本考案の一実施例を示す正面図である。
【図２】本考案のロータリースイッチを示す要部正面図である。
【図３】本考案の発光筒体の一実施例を示す断面図である。
【図４】本考案の収納筒体の一実施例を示す断面図である。
【図５】本考案の回路図である。
【図６】本考案の反射鏡の他の実施例を示す断面図である。
【図７】本考案の反射鏡の他の実施例を示す平面図である。
【図８】本考案の反射鏡の他の実施例を示す断面図である。
【考案を実施するための形態】
【００２２】
本考案によると、他のスティックライトと同調させて使用することが極めて容易になり、しかも、スティック状の先端部分まで効率良く発光させることができ、安価な砲弾形のＲＧＢフルカラーＬＥＤを使用しても各種の色彩を反射鏡内で調整することが可能なスティックライトを提供することに成功した。
【００２３】
以下、本考案の実施例を説明する。本考案は、例えば、コンサート会場等の雰囲気を盛り上げる道具などとして使用するスティックライトであり、このスティックライトは、コンサートライト、ペンライト、チアライトなどと称することもある。
【００２４】
本考案の主な構成は、光源部１０、発光筒体２０、反射鏡３０、収納筒体４０にて構成されている（図４参照）。光源部１０は、赤・青・緑のＬＥＤが一つのパッケージに封印された砲弾形のＲＧＢフルカラーＬＥＤを使用する。このＲＧＢフルカラーＬＥＤは、３つのＬＥＤの明るさを変えることで多彩な色を飛揚時できるものである。図示例では、Ｒ、Ｇ、Ｂの各ドライバを備えたフルカラーＬＥＤを制御部４２が制御している（図５参照）。この制御部４２は、発光色のほか、発光モードなどの各種制御をするもので、マイクロプロセッサが使用されている。
【００２５】
発光筒体２０は、光源部１０の光が照射する方向に延長された筒状の部材で、光源部１０の光で発光する。この発光筒体２０の材質は、アクリル樹脂等のプラスチックが使用されている。更に、発光筒体２０の内部側面に凹凸形状の乱反射面２１を形成すると共に、前記発光筒体２０を構成する材質の内部に光を拡散せしめる拡散粒子２２が混合している（図３参照）。拡散粒子２２の材質は、光を拡散させる性質のものであればどのようなものでも良く、他のプラスチックや金属材、ガラス材など任意の拡散粒子２２を選択することができる。このような構成により、光源部１０の光が乱反射面２１と拡散粒子２２で乱反射しながら発光筒体２０の先端方向まで拡散するので、発光筒体２０の先端部近くまで発光させることができる。
【００２６】
反射鏡３０は、発光筒体２０の内側で光源部１０を囲む部材である（図４参照）。この反射鏡３０は、光源部１０の光を反射させ、発光筒体２０の先端方向に集光するように配置している。反射鏡３０の他の実施例として、内側面全体に断面Ｖ字形状の溝部３３を形成したものがある（図６、図７参照）。この溝部３３は、光源部１０の側面から発光する光を乱反射させることで、反射鏡３０内部でも三原色を混合するように構成したものである。特に、砲弾形のＲＧＢフルカラーＬＥＤのように、ＬＥＤ側面の光を反射鏡３０で集光する場合でも、反射鏡３０内で各種の色彩を調整することができる。
【００２７】
更に、反射鏡３０の他の実施例として、反射基部３１と導光部３２とを備えた反射鏡３０がある（図８参照）。反射基部３１は、光源部１０を囲む凹面状を成し、導光部３２は、この反射基部３１の先端から発光筒体２０の先端方向に向かって筒状に延長された部位である。そして、この導光部３２にて反射させた光を発光筒体２０の先端方向に集光するように構成している。
【００２８】
収納筒体４０は、発光筒体２０の反対方向に延長され、電池４１や制御部４２を収納している（図４参照）。この収納筒体４０には、制御部４２をコントロールするロータリースイッチ５０を設けている（図１参照）。そして、制御された各種発光色及び発光手段を該ロータリースイッチ５０の表示部で選択するように構成したものである。このロータリースイッチ５０は、ダイヤル盤５１と表示部５２とで構成されている。
【００２９】
ダイヤル盤５１は、制御部４２で設定された各色を指定する番号が円周方向に表示されている（図２参照）。一方、表示部５２は、このダイヤル盤５１に表示された番号が一つだけ選択表示される部位である。図示例では、円形の窓状に開けた表示部５２から一つの番号のみが表示されている。この表示部５２の表示で各種発光色をワンタッチで選択するもので、選択窓４３に表示された数字が示す発光色で発光筒体２０が光るものである。尚、図中符号４４は、電源スイッチ４４である。
【００３０】
次に、ロータリースイッチ５０の具体的な使用例を示す。例えば、ダイヤル盤５１に表示した番号の１〜１２までは、レッド、ホワイト、ロイヤル・ブルー、グリーン、ピンク、イエロー、パープル、オレンジ、シー・ブルー、サフラン、アクア・グリーン、ローズ・ピンクの各色が各番号に設定されている。更に、ダイヤル盤５１の数字１３〜１６は、ブルー・グラディエーション、レッド・グラディエーション、グリーン・グラディエーション、オールカラー・グラディエーションが、各番号に設定されている。そして、表示部５２に表示した１〜１６の番号に予め設定されている色彩で発光筒体２０が発光するものである。
【００３１】
本考案の電源を操作するには、電源スイッチ４４を操作する。実施例の電源スイッチ４４でON操作の場合、押す操作を２秒以内にすることで電源が入る。更に、２秒以内のON操作を繰り返すごとに、スロー点滅とハイ点滅と通常の点滅とが繰り返される。電源を切るには、２秒以上の長押しにより電源OFFとなるように設定している。このように、電源スイッチ４４を利用しての操作は任意に設定することが可能である。
【００３２】
尚、本考案の光源部１０、発光筒体２０、反射鏡３０、収納筒体４０等の各構成部位や材質等は、図示例に限られるものではなく、本考案の主旨を変更しない範囲での設計変更は任意に行えるものである。
【産業上の利用可能性】
【００３３】
本考案は、コンサート会場等の雰囲気を盛り上げるスティックライトとして説明しているが、このほか、工事現場の誘導ライトや緊急時に使用する緊急ライトなど、他の用途でも利用することが可能である。
【符号の説明】
【００３４】
１０  光源部
２０  発光筒体
２１  乱反射面
２２  拡散粒子
３０  反射鏡
３１  反射基部
３２  導光部
３３  溝部
４０  収納筒体
４１  電池
４２  制御部
４３  選択窓
４４  電源スイッチ
５０  ロータリースイッチ
５１  ダイヤル盤
５２  表示部
【図１】
0003175039.tif 000003
【図２】
0003175039.tif 000004
【図３】
0003175039.tif 000005
【図４】
0003175039.tif 000006
【図５】
0003175039.tif 000007
【図６】
0003175039.tif 000008
【図７】
0003175039.tif 000009
【図８】
0003175039.tif 000010